(57)【特許請求の範囲】
【請求項１】
インターネットアクセスポイントの電話番号、カード使用者のＩＤ、およびカード使用者のパスワードを記憶した第１の情報記憶型カードと、ホームページの格納場所を指定するＵＲＬ情報を記憶した第２の情報記憶型カードとを着脱可能とし、該第１および第２の情報記憶型カードに記憶された情報を読み込むカードインターフェース部と、
前記第１の情報記憶型カードから読み込まれた情報に基づき、インターネットアクセスポイントに自動的に発信してＷＷＷサーバーに接続する通信インターフェース部と、
前記第２の情報記憶型カードから読み込まれた情報に基づき、ＷＷＷサーバーにアクセスすることによりＷＷＷ情報を取得、処理する情報処理部と、
該ＷＷＷ情報をユーザーに提示するメディアインターフェース部と、
該提示された情報に対するユーザーの操作を受け付けるための操作インターフェース部とを具備することを特徴とする情報記憶型カードを用いたインターネットアクセス装置。
【請求項２】
前記カードインターフェース部において、
前記第１の情報記憶型カードが挿入されたことを検知して各部を起動するとともに該第１の情報記憶型カードに記憶されている情報を読み出し、該第１の情報記憶型カードが抜かれたことを検知して各部の作動を終了することを特徴とする請求項１記載の情報記憶型カードを用いたインターネットアクセス装置。
【請求項３】
前記カードインターフェース部において、
前記第２の情報記憶型カードが挿入されたことを検知して該第２の情報記憶型カードに記憶されている情報を読み出すとともに前記通信インターフェース部に前記第１および第２の情報記憶型カードに記憶された情報を転送してＷＷＷサーバーへの接続、ＷＷＷ情報へのアクセスを行ない、
前記第２の情報記憶型カードが抜き取られたことを検知して、ＷＷＷサーバーとの接続を終了することを特徴とする請求項１記載の情報記憶型カードを用いたインターネットアクセス装置。
【請求項４】
前記情報処理部は、
前記第２の情報記憶型カードに、ホームページの格納場所を指定するＵＲＬ情報に加えて、ＷＷＷ情報に接続可能な時間を規定するデータが記憶される場合において、
前記第２の情報記憶型カードに記憶された接続可能な時間を前記カードインターフェース部を介して読み取り、前記ＷＷＷサーバーに接続された時間に応じて前記接続可能な時間を減じて、前記カードインターフェース部を介して、前記第２の情報記憶型カードに記憶された接続可能な時間を減算結果に更新することを特徴とする請求項１乃至請求項３のいずれかに記載の情報記憶型カードを用いたインターネットアクセス装置。
【請求項５】
前記情報処理部は、
前記第１の情報記憶型カードに、ＷＷＷ情報表示のために必要なログイン用情報がさらに記憶される場合において、
ＷＷＷ情報表示のためのログイン手続き要求を受けた場合、
前記第１の情報記憶型カードに記憶されたログイン用情報を前記カードインターフェース部を介して読み取り、該ログイン用情報を送信することを特徴とする請求項１乃至請求項３のいずれかに記載の情報記憶型カードを用いたインターネットアクセス装置。
【請求項６】
前記情報処理部は、
前記第２の情報記憶型カードに、ＷＷＷ情報表示のために必要なポイント情報がさらに記憶される場合において、
ＷＷＷ情報表示のためのポイント要求を受けた場合、
前記第２の情報記憶型カードに記憶されたポイント情報を前記カードインターフェース部を介して読み取り、前記ポイント要求に応じて前記ポイント情報を処理して、前記カードインターフェース部を介して、前記第２の情報記憶型カードに記憶されたポイント情報を処理結果に更新することを特徴とする請求項１乃至請求項３のいずれかに記載の情報記憶型カードを用いたインターネットアクセス装置。
【請求項７】
インターネットアクセスポイントの電話番号、カード使用者のＩＤ、およびカード使用者のパスワードを記憶した第１の情報記憶型カードと、ホームページの格納場所を指定するＵＲＬ情報を記憶した第２の情報記憶型カードとを用い、該第１および第２の情報記憶型カードが挿入されたことを検知して、システムを起動させると同時に、該第１および第２の情報記憶型カードに記憶された情報を読み込むカード情報処理装置と、
該第１の情報記憶型カードから読み込まれた情報に基づき、インターネットアクセスポイントに自動的に発信してＷＷＷサーバーに接続する通信処理装置と、
該第２の情報記憶型カードから読み込まれた情報に基づき、ＷＷＷサーバーにアクセスすることによりホームページなどのＷＷＷ情報を取得、処理する情報処理装置と、
該ＷＷＷ情報をユーザーに提示するメディアインターフェース装置と、
該提示された情報を操作するための操作インターフェース装置とから構成されることを特徴とする情報記憶型カードを用いたインターネットアクセスシステム。
【請求項８】
前記カード情報処理装置において、
前記第１の情報記憶型カードが挿入されたことを検知してシステムを起動するとともに該第１の情報記憶型カードに記憶されている情報を読み出し、該第１の情報記憶型カードが抜かれたことを検知してシステムを終了することを特徴とする請求項７記載の情報記憶型カードを用いたインターネットアクセスシステム。
【請求項９】
前記カード情報処理装置において、
前記第２の情報記憶型カードが挿入されたことを検知して該第２の情報記憶型カードに記憶されている情報を読み出すとともに前記通信処理装置に前記第１および第２の情報記憶型カードに記憶された情報を転送してＷＷＷサーバーへの接続、ＷＷＷ情報へのアクセスを行ない、
前記第２の情報記憶型カードが抜き取られたことを検知して、ＷＷＷサーバーとの接続を終了することを特徴とする請求項７記載の情報記憶型カードを用いたインターネットアクセスシステム。
【請求項１０】
前記情報処理装置は、
前記第２の情報記憶型カードに、ホームページの格納場所を指定するＵＲＬ情報に加えて、ＷＷＷ情報に接続可能な時間を規定するデータが記憶される場合において、
前記第２の情報記憶型カードに記憶された接続可能な時間を前記カード情報処理装置を介して読み取り、前記ＷＷＷサーバーに接続された時間に応じて前記接続可能な時間を減じて、前記カード情報処理装置を介して、前記第２の情報記憶型カードに記憶された接続可能な時間を減算結果に更新することを特徴とする請求項７乃至請求項９のいずれかに記載の情報記憶型カードを用いたインターネットアクセスシステム。
【請求項１１】
前記情報処理装置は、
前記第１の情報記憶型カードに、ＷＷＷ情報表示のために必要なログイン用情報がさらに記憶される場合において、
ＷＷＷ情報表示のためのログイン手続き要求を受けた場合、
前記第１の情報記憶型カードに記憶されたログイン用情報を前記カード情報処理装置を介して読み取り、該ログイン用情報を送信することを特徴とする請求項７乃至請求項９のいずれかに記載の情報記憶型カードを用いたインターネットアクセスシステム。
【請求項１２】
前記情報処理装置は、
前記第２の情報記憶型カードに、ＷＷＷ情報表示のために必要なポイント情報がさらに記憶される場合において、
ＷＷＷ情報表示のためのポイント要求を受けた場合、
前記第２の情報記憶型カードに記憶されたポイント情報を前記カード情報処理装置を介して読み取り、前記ポイント要求に応じて前記ポイント情報を処理して、前記カード情報処理装置を介して、前記第２の情報記憶型カードに記憶されたポイント情報を処理結果に更新することを特徴とする請求項７乃至請求項９のいずれかに記載のインターネットアクセスシステム。
【請求項１３】
情報記憶型カードを着脱可能とし該情報記憶型カードに記憶された情報を読み込むインターネットアクセス装置における、情報記憶型カードを用いたインターネットアクセス方法であって、
該インターネットアクセス装置は、
インターネットアクセスポイントの電話番号、カード使用者のＩＤ、およびカード使用者のパスワードを記憶した第１の情報記憶型カードから読み込まれた情報に基づき、インターネットアクセスポイントに自動的に発信してＷＷＷサーバーに接続し、
ホームページの格納場所を指定するＵＲＬ情報を記憶した第２の情報記憶型カードから読み込まれた情報に基づき、ＷＷＷサーバーにアクセスすることによりＷＷＷ情報を取得し、
該ＷＷＷ情報をユーザーに提示する
ことを特徴とする情報記憶型カードを用いたインターネットアクセス方法。
【請求項１４】
情報記憶型カードを着脱可能とし該情報記憶型カードに記憶された情報を読み込むカード情報処理装置と、ＷＷＷサーバーに接続する通信処理装置と、ＷＷＷサーバーにアクセスすることによりＷＷＷ情報を取得する情報処理装置と、該ＷＷＷ情報をユーザーに提示するメディアインターフェース装置とを含むインターネットアクセスシステムにおける、情報記憶型カードを用いたインターネットアクセス方法であって、
該通信処理装置は、該カード情報処理装置で読み込まれた、インターネットアクセスポイントの電話番号、カード使用者のＩＤ、およびカード使用者のパスワードを記憶した第１の情報記憶型カードからの情報に基づき、インターネットアクセスポイントに自動的に発信してＷＷＷサーバーに接続し、
該情報処理装置は、該カード情報処理装置で読み込まれた、ホームページの格納場所を指定するＵＲＬ情報を記憶した第２の情報記憶型カードからの情報に基づき、ＷＷＷサーバーにアクセスすることによりＷＷＷ情報を取得し、
該メディアインターフェース装置は、該ＷＷＷ情報をユーザーに提示する
ことを特徴とする情報記憶型カードを用いたインターネットアクセス方法。
【発明の詳細な説明】
【０００１】
【発明の属する技術分野】
本発明は、ＩＣカードや磁気カードのような情報記憶型のカードと、カードに記憶された情報を利用することにより、ユーザーが通信回線を介してインターネットに代表されるコンピュータ通信ネットワークに接続し、マルチメディア情報を受信することを可能とする情報記憶型カードを用いたインターネットアクセス装置およびシステムおよびその方法に関する。
【０００２】
【従来の技術】
インターネットに代表されるコンピュータ通信ネットワークに接続し、マルチメディア情報を受信する一般的な方法を図１２を用いて説明する。まずハードウェアとしてパーソナルコンピュータ２を用意し、これに、電話やＩＳＤＮ等の通信回線１を利用してアクセスポイントに設置してあるＷＷＷ（ワールドワイドウェブ）サーバー６にダイヤルアップと呼ばれる方法で接続するための接続用プログラム４と、インターネット７上に公開されたマルチメディア情報にアクセスしてそれらを受信・表示するブラウザと呼ばれるプログラム５を搭載する。また、モデムやターミナルアダプタ等の通信インタフェース３を接続したシステムを用意する必要がある。このシステムを用いて、以下のような手順により接続・情報の取得を行う。
【０００３】
（１）接続用プログラム４を起動してアクセスポイント６に発信し、インターネット７に接続するための手続き（ユーザーＩＤの入力・パスワードの確認など）を実行する。
【０００４】
（２）ブラウザプログラム５を起動してインターネット７に接続し、ホームページ等のマルチメディア情報にアクセスして、必要な情報を選択して受信する。
【０００５】
上記のシステムでは、ユーザーは、これらのプログラムに対してネットワーク上での通信に関する設定を事前に行わねばならない。さらに（１）の段階で接続用プログラムを起動して接続先の電話番号を設定し、接続時にはユーザーＩＤおよびパスワードの入力を行わねばならない。さらに（２）の段階で、さらに別プログラムを起動してマルチメディア情報のアクセス先を指定したＵＲＬ（ユニフォームリソースロケータ）と呼ばれるタグを入力して、初めて情報にアクセスすることができる。
【０００６】
【発明が解決しようとする課題】
上述した従来の方法では、ユーザーは実際の情報を得るまでに煩雑な設定手順を踏まなくてはならない。インターネットに興味があっても、コンピュータの扱いとコンピュータを用いた通信ネットワークに詳しくないユーザーにとっては、スムーズにインターネットにアクセスすることは非常に困難となる。
【０００７】
本発明の目的は、上記のような課題を解決するためになされたものであり、ネットワークへの接続からインターネット情報の取得までの一連のプロセスを自動的に実行し、パソコン初心者のユーザーにも簡単にインターネットアクセスを可能とする情報記憶型カードを用いたインターネットアクセス装置およびシステムおよびその方法を提供することにある。
【０００８】
【課題を解決するための手段】
上記課題を解決するために、請求項１記載の発明は、インターネットアクセスポイントの電話番号、カード使用者のＩＤ、およびカード使用者のパスワードを記憶した第１の情報記憶型カードと、ホームページの格納場所を指定するＵＲＬ情報を記憶した第２の情報記憶型カードとを着脱自在に装着し、該第１および第２の情報記憶型カードに記憶された情報を読み込むカードインターフェース部と、前記第１の情報記憶型カードから読み込まれた情報に基づき、インターネットアクセスポイントに自動的に発信してＷＷＷサーバーに接続する通信インターフェース部と、前記第２の情報記憶型カードから読み込まれた情報に基づき、ＷＷＷサーバーにアクセスすることによりＷＷＷ情報を取得、処理する情報処理部と、該ＷＷＷ情報をユーザーに提示するメディアインターフェース部と、該提示された情報に対するユーザの操作を受け付けるための操作インターフェース部とを具備することを特徴とする情報記憶型カードを用いたインターネットアクセス装置である。
また、請求項２記載の発明は、前記カードインターフェース部において、前記第１の情報記憶型カードが挿入されたことを検知して各部を起動するとともに該第１の情報記憶型カードに記憶されている情報を読み出し、該第１の情報記憶型カードが抜かれたことを検知して各部の作動を終了することを特徴としている。
また、請求項３記載の発明は、前記カードインターフェース部において、前記第２の情報記憶型カードが挿入されたことを検知して該第２の情報記憶型カードに記憶されている情報を読み出すとともに前記通信インターフェース部に前記第１および第２の情報記憶型カードに記憶された情報を転送してＷＷＷサーバーへの接続、ＷＷＷ情報へのアクセスを行ない、前記第２の情報記憶型カードが抜き取られたことを検知して、ＷＷＷサーバーとの接続を終了することを特徴としている。
【０００９】
また、請求項４記載の発明は、前記情報処理部が、前記第２の情報記憶型カードに、ホームページの格納場所を指定するＵＲＬ情報に加えて、ＷＷＷ情報に接続可能な時間を規定するデータが記憶される場合において、前記第２の情報記憶型カードに記憶された接続可能な時間を前記カードインターフェース部を介して読み取り、前記ＷＷＷサーバーに接続された時間に応じて前記接続可能な時間を減じて、前記カードインターフェース部を介して、前記第２の情報記憶型カードに記憶された接続可能な時間を減算結果に更新することを特徴としている。
また、請求項５記載の発明は、前記情報処理部が、前記第１の情報記憶型カードに、ＷＷＷ情報表示のために必要なログイン用情報がさらに記憶される場合において、ＷＷＷ情報表示のためのログイン手続き要求を受けた場合、前記第１の情報記憶型カードに記憶されたログイン用情報を前記カードインターフェース部を介して読み取り、該ログイン用情報を送信することを特徴としている。
また、請求項６記載の発明は、前記情報処理部が、前記第２の情報記憶型カードに、ＷＷＷ情報表示のために必要なポイント情報がさらに記憶される場合において、ＷＷＷ情報表示のためのポイント要求を受けた場合、前記第２の情報記憶型カードに記憶されたポイント情報を前記カードインターフェース部を介して読み取り、前記ポイント要求に応じて前記ポイント情報を処理して、前記カードインターフェース部を介して、前記第２の情報記憶型カードに記憶されたポイント情報を処理結果に更新することを特徴としている。
【００１０】
次に、請求項７記載の発明は、インターネットアクセスポイントの電話番号、カード使用者のＩＤ、およびカード使用者のパスワードを記憶した第１の情報記憶型カードと、ホームページの格納場所を指定するＵＲＬ情報を記憶した第２の情報記憶型カードとを用い、該第１および第２の情報記憶型カードが挿入されたことを検知して、システムを起動させると同時に、該第１および第２の情報記憶型カードに記憶された情報を読み込むカード情報処理装置と、該第１の情報記憶型カードから読み込まれた情報に基づき、インターネットアクセスポイントに自動的に発信してＷＷＷサーバーに接続する通信処理装置と、該第２の情報記憶型カードから読み込まれた情報に基づき、ＷＷＷサーバーにアクセスすることによりホームページなどのＷＷＷ情報を取得、処理する情報処理装置と、該ＷＷＷ情報をユーザーに提示するメディアインターフェース装置と、該提示された情報を操作するための操作インターフェース装置とから構成されることを特徴とする情報記憶型カードを用いたインターネットアクセスシステムである。
また、請求項８記載の発明は、前記カード情報処理装置において、前記第１の情報記憶型カードが挿入されたことを検知してシステムを起動するとともに該第１の情報記憶型カードに記憶されている情報を読み出し、該第１の情報記憶型カードが抜かれたことを検知してシステムを終了することを特徴としている。
また、請求項９記載の発明は、前記カード情報処理装置において、前記第２の情報記憶型カードが挿入されたことを検知して該第２の情報記憶型カードに記憶されている情報を読み出すとともに前記通信処理装置に前記第１および第２の情報記憶型カードに記憶された情報を転送してＷＷＷサーバーへの接続、ＷＷＷ情報へのアクセスを行ない、前記第２の情報記憶型カードが抜き取られたことを検知して、ＷＷＷサーバーとの接続を終了することを特徴としている。
【００１１】
また、請求項１０記載の発明は、前記情報処理装置が、前記第２の情報記憶型カードに、ホームページの格納場所を指定するＵＲＬ情報に加えて、ＷＷＷ情報に接続可能な時間を規定するデータが記憶される場合において、前記第２の情報記憶型カードに記憶された接続可能な時間を前記カード情報処理装置を介して読み取り、前記ＷＷＷサーバーに接続された時間に応じて前記接続可能な時間を減じて、前記カード情報処理装置を介して、前記第２の情報記憶型カードに記憶された接続可能な時間を減算結果に更新することを特徴としている。
また、請求項１１記載の発明は、前記情報処理装置が、前記第１の情報記憶型カードに、ＷＷＷ情報表示のために必要なログイン用情報がさらに記憶される場合において、ＷＷＷ情報表示のためのログイン手続き要求を受けた場合、前記第１の情報記憶型カードに記憶されたログイン用情報を前記カード情報処理装置を介して読み取り、該ログイン用情報を送信することを特徴としている。
また、請求項１２記載の発明は、前記情報処理装置が、前記第２の情報記憶型カードに、ＷＷＷ情報表示のために必要なポイント情報がさらに記憶される場合において、ＷＷＷ情報表示のためのポイント要求を受けた場合、前記第２の情報記憶型カードに記憶されたポイント情報を前記カード情報処理装置を介して読み取り、前記ポイント要求に応じて前記ポイント情報を処理して、前記カード情報処理装置を介して、前記第２の情報記憶型カードに記憶されたポイント情報を処理結果に更新することを特徴としている。
【００１２】
次に、請求項１３記載の発明は、インターネットアクセスポイントの電話番号、カード使用者のＩＤ、およびカード使用者のパスワードを記憶した第１の情報記憶型カードから読み込まれた情報に基づき、インターネットアクセスポイントに自動的に発信してＷＷＷサーバーに接続し、ホームページの格納場所を指定するＵＲＬ情報を記憶した第２の情報記憶型カードから読み込まれた情報に基づき、ＷＷＷサーバーにアクセスすることによＷＷＷ情報を取得し、該ＷＷＷ情報をユーザーに提示する情報記憶型カードを用いたインターネットアクセス方法である。
【００１３】
【発明の実施の形態】
次に本発明の実施の形態について図を参照して説明する。なお、各図において同一の構成には同一の符号を付けている。図１は本発明によるインターネットアクセス装置の一実施形態を示す装置構成図である。インターネットアクセス装置８は、カードインターフェース部９、通信インターフェース部１０、情報処理部１１、メディアインターフェース部１２、操作インターフェース部１３から構成されている。インターネットアクセス装置８は、図１２に示したパーソナルコンピュータ２および通信インターフェース３内の各構成のなかで、ＣＰＵ（中央処理装置）、記憶装置、モデムやターミナルアダプタ等、インターネットのアクセスに必要な最小の構成、あるいは、パーソナルコンピュータ２および通信インターフェース３を一体とした構成に、カードインターフェース部９を追加した構成として実現することができる。
【００１４】
カードインターフェース部９は、ＩＣや磁気ストライプ中に予め情報を記憶させておくことが可能な２つの情報記憶型カード９ａ、９ｂを着脱自在に装着し、これらの情報記憶型カード９ａ、９ｂに記憶された情報を読み込んだり、あるいは情報記憶型カード９ａ、９ｂに所定の情報を書き込んだりする。通信インターフェース部１０は、電話やＩＳＤＮ等の通信回線１に対するインターフェースの機能を提供するものであり、さらに本発明では、情報記憶型カード９ａ、９ｂから読み込まれた情報に基づきインターネットアクセスポイントに自動的に発信してアクセスポイントとなるＷＷＷサーバーに接続する機能も提供する。なお、以下では、アクセスポイントに設置されたサーバーのことを「ＷＷＷサーバー」と呼び、この「ＷＷＷサーバー」もしくはこの「ＷＷＷサーバー」を介して接続されるインターネット上のサーバーから得られるホームページ情報などを「ＷＷＷ情報」あるいは「マルチメディア情報」と呼ぶものとする。
【００１５】
情報処理部１１は、カード９ａ、９ｂから読み込まれた情報に基づき、ＷＷＷサーバー内の情報にアクセスすることによりホームページなどのＷＷＷ情報を取得し、それを処理する。メディアインターフェース部１２は、情報処理部１１が取得したＷＷＷ情報とインターネットアクセス装置８内部の情報をユーザーに提示する機能を有するものであり、ＣＲＴ等からなる表示装置とスピーカ等からなる音声情報出力装置に対して信号を出力するためのインターフェースとして機能する。操作インターフェース部１３は、ユーザがメディアインターフェース部１２によって提示された情報を操作するためのインターフェース機能を提供するものであり、キーボード、マウス、ジョイスティック、リモートコントロールユニット等の操作子に対するインターフェースから構成されている。
【００１６】
なお、メディアインターフェース部１２は、上記に変えて、表示部や音声情報出力部を自ら備えることにより直接情報をユーザへ提示するように構成されることが可能もあり、また、操作インターフェース部１３は、各操作子を自ら有して構成されることも可能である。
【００１７】
カードインターフェース部９に装着される２種類の情報記憶型カード９ａ、９ｂには、例えば一方のカード９ａにインターネットアクセスポイントの電話番号、カード使用者のＩＤおよびカード使用者のパスワードを記憶しておき、これによってＷＷＷサーバーに接続するための情報を入力し、他方のカード９ｂにはホームページの格納場所を指定するＵＲＬ情報を記憶しておくことにより、ＷＷＷ情報にアクセスするための情報を入力する。カードインターフェース部９は、ＷＷＷサーバーに接続するためのカード９ａが挿入されたことを検知して、装置８内の各部を起動するとともに、カード９ａに記憶されている情報を読み出し、またカード９ａが抜かれたことを検知して各部の作動を終了する。また、カードインターフェース部９は、ＷＷＷ情報にアクセスするためのカード９ｂが挿入されたことを検知して、カード９ｂに記憶されている情報を読み出すとともに、通信インターフェース部１０にカード９ａ、９ｂに記憶された情報を転送してＷＷＷサーバーへの接続、ＷＷＷ情報へのアクセスを行う。また、カードインターフェース部９では、カード９ｂが抜き取られたことを検知して、ＷＷＷサーバーとの接続を終了する処理を行う。また、カードインターフェース部９では、カード９ｂが抜き取られたことを検知して、メディアインターフェース部１２にリクエストを送信しＷＷＷサーバーとの接続の継続／終了を判断させるための情報を利用者に提示するとともに、利用者の選択を操作インターフェース部１３を介して受信し、それに基づき接続の継続／終了処理を行う。
【００１８】
なお、カード９ｂでは、ホームページの格納場所を指定するＵＲＬ情報に加えて、ＷＷＷ情報に接続可能な時間を規定するデータを記憶するようにすることができる。この場合、インターネットアクセス装置８におけるカードインターフェース部９においては、カード９ｂの挿入を検知した際に、接続可能時間データを読み取り、接続可能時間がゼロでなければ接続を開始し、接続中には接続時間に応じて接続可能時間を減じ、カード９ｂの接続可能時間の情報を書き換えるとともに、ゼロである場合は接続を終了すると同時にメディアインターフェース部１２にリクエストを送信して、接続可能時間がゼロで接続不可能であることを利用者に提示する機能を有するようにすることができる。接続時間情報は、通信インターフェース部９により生成されたり、あるいは、接続先のＷＷＷサーバーにより生成され、通信インターフェース部９に定期的に転送されるようにすることができる。
【００１９】
このように図１に示すインターネットアクセス装置８においては、カードインターフェース部９で読み取られた情報は、通信インターフェース部１０と情報処理部１１に転送され、通信インターフェース部１０より通信回線１を介してアクセスポイント６に設置されているＷＷＷサーバーに接続する。情報処理部１１は通信インターフェース部１０を介してインターネット７にアクセスしてマルチメディア情報を取得し、メディアインターフェース部１２に転送してユーザーに提示する。ユーザーは操作インターフェース部１３を介してマルチメディア情報を操作する。
【００２０】
図２は本発明によるインターネットアクセスシステムの一実施形態を示すシステム構成図である。図２に示すインターネットアクセスシステム２０は、図１を参照して説明したインターネットアクセス装置内の各部の構成を、それぞれ独立して作動する装置（例えばパーソナルコンピュータやワークステーションとその入出力周辺機器を組み合わせた装置、あるいは、各機能を実現するための専用の装置）を用いて構成したものであり、カード情報処理装置１４、通信処理装置１５、情報処理装置１６、メディアインターフェース装置１７、操作インターフェース装置１８から構成されている。図２に示すカード情報処理装置１４、通信処理装置１５、情報処理装置１６、メディアインターフェース装置１７、および操作インターフェース装置１８は、それぞれ図１に示すカードインターフェース部９、通信インターフェース部１０、情報処理部１１、メディアインターフェース部１２、および操作インターフェース部１３と同様の機能を提供する。
【００２１】
以上の構成により、カード情報処理装置１４で得られた情報は情報処理装置１５に転送される。情報処理装置１６は、まず通信処理装置１５より電話・ＩＳＤＮ回線１を介してアクセスポイント６に設置されているＷＷＷサーバーに接続する。次に情報処理装置１６では通信処理装置１５を介してインターネット７にアクセスしてマルチメディア情報を取得し、メディアインターフェース装置１７に転送してユーザーに提示する。ユーザーは操作インターフェース装置１８を介してマルチメディア情報を操作する。
【００２２】
カード情報処理装置１４では、２種類の情報記憶型カード９ａ，９ｂを用い、第１のカード９ａにはインターネットアクセスポイントの電話番号、カード使用者のＩＤ、およびカード使用者のパスワードを記憶しておくことにより、ＷＷＷサーバーに接続するためにのみ使用し、第２のカード９ｂにはホームページの格納場所を指定するＵＲＬ情報を記憶しておくことにより、ＷＷＷ情報にアクセスするためにのみ利用することができる。
【００２３】
また、カード情報処理装置１４では、ＷＷＷ情報にアクセスするためのカード９ａが抜き取られたことを検知して、ＷＷＷサーバーとの接続を終了する処理を行うことができる。また、カード情報処理装置１４では、ＷＷＷ情報にアクセスするためのカード９ｂが抜き取られたことを検知して、情報処理装置１６にリクエストを送信しＷＷＷサーバーとの接続の継続／終了を判断させるための情報をメディアインターフェース装置１７を介して利用者に提示するとともに、利用者の選択を操作インターフェース装置１８を介して受信し、それに基づき処理を行うようにすることができる。
【００２４】
さらにカード情報処理装置１４において、カード９ｂの挿入を検知した際に、接続可能時間データを読み取り、接続可能時間がゼロでなければ接続を開始し、接続中には接続時間に応じて接続可能時間を減じ、カード９ｂの接続可能時間の情報を書き換えるとともに、ゼロである場合は接続を終了すると同時に情報処理装置にリクエストを送信して、接続可能時間がゼロで接続不可能であることをメディアインターフェース装置１７を介して利用者に提示する機能を有することができる。
【００２５】
なお、接続時間情報は、通信処理装置１５または情報処理装置１６により生成されたり、接続先のＷＷＷサーバーにより生成され、情報処理装置１６に定期的に転送されるようにすることもできる。
【００２６】
図３、図４、図５、図６、図７、図８、図９、図１０、図１１は本発明によるインターネット接続装置およびシステムにおける処理の流れの例を示すフローチャートである。
各図に示すフローチャート内の結合子には、各図に対して共通の符号を付けている。したがって、同一図面内あるいは他の図面内に示されている同一の符号を付けた結合子は互いに結合される。図３はメイン処理のフローを示したものである。メイン処理は、カードインターフェース部９あるいはカード情報処理装置１４へのカード９ａ（以下ＩＤカードと呼ぶ）の挿入により処理が開始され抜き取りにより処理が終了する。ＩＤカードの挿入チェックルーチンＳ１がＩＤカードの挿入を確認すると動作モードを開始する（Ｓ２）とともにＩＤカード抜き取りチェックルーチンＳ３をスタートさせる。ＩＤカードの抜き取りが確認された場合には動作モードの処理が実行中であっても強制的に動作モードを終了させ（Ｓ４）、ＩＤカードの挿入チェックルーチンに処理を戻す。
【００２７】
図４は、図３のステップＳ２で開始される動作モードの処理の一例を示すフローチャートである。動作モードでは、まずＩＤカードに記憶されている情報を読み取り（Ｓ５）、メディアインターフェース部１２あるいはメディアインターフェース装置１２により動作モードが開始されたことをユーザーに知らせるための初期画面を表示（Ｓ６）し、カードインターフェース部９あるいはカード情報処理装置１４へのカード９ｂ（以後、ＵＲＬカードと呼ぶ）の挿入チェックルーチンＳ７に移行する。ＵＲＬカードの挿入が確認された時点でアクセスモードの処理をスタートさせ（Ｓ８）、ＵＲＬカード抜き取りチェックルーチンＳ９に移行する。ＵＲＬカードの抜き取りを確認した時点でアクセスモードの処理が実行中であったとしても強制的に回線を切断して処理を終了させ（Ｓ１０）、ＵＲＬカード挿入のチェックルーチンＳ７に処理を戻す。
【００２８】
図５は、図４のステップＳ８で開始されるアクセスモードの処理の一例を示すフローチャートである。アクセスモードでは、まずＵＲＬカードに記憶されている情報の読み取りを行う（Ｓ１１）。次にＩＤカードに記憶されていたアクセスポイントの電話番号を用いてアクセスポイントに発信してダイヤルアップ接続を行う（Ｓ１２）。さらにＷＷＷサーバーと接続するため、アクセスポイントにＩＤカードから読み取ったユーザーのＩＤ情報を送信Ｓ１３、ユーザー認証のためのパスワード情報を送信し（Ｓ１４）、ＷＷＷサーバーへの接続を完了する。そしてＵＲＬカードより得られたＵＲＬ情報をＷＷＷサーバーを介してインターネットに発信し（Ｓ１５）
、ＷＷＷサーバーを介して受信した（Ｓ１６）マルチメディア情報を表示（Ｓ１７）する。そして操作モードの処理をスタート（Ｓ１８）させた後、処理を終了する。
【００２９】
図６は、図５のステップＳ１８で開始される操作モードの処理の一例を示したものである。操作モードのスタート（Ｓ１９）と同時に操作情報入力のチェックルーチンＳ２０が起動される。操作インターフェース部１３あるいは操作インターフェース装置１８によって操作情報の入力を検知すると操作情報処理を行い（Ｓ２１）、終了後操作情報入力のチェックルーチンＳ２０に処理を戻す。
【００３０】
図７は、図３のステップＳ２で開始される動作モードに関する別の処理の例を示したものであり、図４の動作モードに比べ、さらにアクセスモード終了の可否をユーザーに確認する処理を含む。
【００３１】
まずＩＤカードに記憶されている情報を読み取り（Ｓ２２）、動作モードが開始されたことをユーザーに知らせるための初期画面を表示し（Ｓ２３）、ＵＲＬカードの挿入チェックルーチンＳ２４に移行する。ＵＲＬカードの挿入が確認された時点でアクセスモードの処理をスタートさせ（Ｓ２５）、ＵＲＬカード抜き取りチェックルーチンＳ２６に移行する。ＵＲＬカードの抜き取りを確認した時点でアクセスモードの処理が実行中であったとしても強制的に中断させて動作モードを終了の可否を確認する画面を表示し（Ｓ２７）、ユーザーからの入力をチェックする（Ｓ２８）。終了を選択した場合には回線を切断してアクセスモードを終了させた（Ｓ２９）後、ＵＲＬカード挿入のチェックルーチンＳ２４に処理を戻す。また、継続を選択した場合には回線をつないだままでＵＲＬカード挿入のチェックルーチンＳ２４に処理を戻す。
【００３２】
図８は、図４のステップＳ８で開始されるアクセスモードの別の処理の例を示したものである。図８のアクセスモードの処理例は、ＵＲＬカードに接続可能な時間が記録される場合において、この接続時間の計算をインターネットアクセス装置もしくはインターネットアクセスシステムにおいて行い、ＵＲＬカードの接続可能な時間の更新を行う場合のフローチャートである。
アクセスモードでは、まずＵＲＬカードに記憶されているＵＲＬ情報と接続可能時間情報の読み取りを行う（Ｓ３０）。接続可能時間が終了していないかどうか判断して（Ｓ３１）、もし接続可能時間がゼロならば、ＵＲＬカード抜き取り時と同様の処理で接続モードを終了する（Ｓ４１）。接続可能時間がゼロでない場合には、ＩＤカードに記憶されていたアクセスポイントの電話番号を用いてアクセスポイントに発信してダイヤルアップ接続を行う（Ｓ３２）。さらにＷＷＷサーバーと接続するため、アクセスポイントにＩＤカードから読み取ったユーザーのＩＤ情報を送信（Ｓ３３）、ユーザー認証のためのパスワード情報を送信し（Ｓ３４）、ＷＷＷサーバーへの接続を完了する。そしてＵＲＬカードより得られたＵＲＬ情報をインターネットに発信し（Ｓ３５）、ＷＷＷサーバーを介して受信した（Ｓ３６）マルチメディア情報を表示して（Ｓ３７）、操作モードの処理をスタートさせる（Ｓ３７）。同時に接続時間の計算を開始し（Ｓ３９）、一定時間毎に接続可能時間を更新しＵＲＬカードに記憶させる（Ｓ４０）とともに、接続可能時間がゼロでないかを判定するルーチンＳ３１に処理を戻す。
【００３３】
図９は、図４のステップＳ８で開始されるアクセスモードの別の処理の例を示したものである。図９のアクセスモードの処理例は、ＵＲＬカードに接続可能な時間が記録される場合において、この接続時間をＷＷＷサーバーから得て、ＵＬＲカードの接続可能な時間の更新を行う場合のフローチャートである。
アクセスモードでは、まずＵＲＬカードに記憶されているＵＲＬ情報と接続可能時間情報の読み取りを行う（Ｓ４２）。接続可能時間が終了していないかどうか判断して（Ｓ４３）、もし接続可能時間がゼロならば、ＵＲＬカード抜き取り時と同様の処理で接続モードを終了する（Ｓ５３）。接続可能時間がゼロでない場合には、ＩＤカードに記憶されていたアクセスポイントの電話番号を用いてアクセスポイントに発信してダイヤルアップ接続を行う（Ｓ４４）。さらにＷＷＷサーバーと接続するため、アクセスポイントにＩＤカードから読み取ったユーザーのＩＤ情報を送信（Ｓ４５）、ユーザー認証のためのパスワード情報を送信し（Ｓ４６）、ＷＷＷサーバーへの接続を完了する。そしてＵＲＬカードより得られたＵＲＬ情報をＷＷＷサーバーを介してインターネットに発信し（Ｓ４７）、ＷＷＷサーバーを介して受信した（Ｓ４８）マルチメディア情報を表示して（Ｓ４９）、操作モードの処理をスタートさせる（Ｓ５０）。同時に接続時間をＷＷＷサーバーから定期的に受信し（Ｓ５１）、一定時間毎に接続可能時間を更新しＵＲＬカードに記憶させる（Ｓ５２）とともに、接続可能時間がゼロでないかを判定するルーチンＳ４３に処理を戻す。
【００３４】
このように、ＵＲＬカードに接続可能時間を記憶させた場合において、記憶された接続可能時間に応じた料金でＵＲＬカードの販売を行ない、マルチメディアアクセス装置あるいはシステムにおいて図８、図９で説明したアクセスモードにおける動作をすることにより、ＵＲＬカードにプリペイドカードとしての性格を与えることができる。
【００３５】
図１０は、図４のステップＳ８で開始されるアクセスモードの別の処理例を示すフローチャートである。図１０のアクセスモードの処理例は、ＩＤカードにＷＷＷ情報表示のために必要なログイン用情報がさらに記憶される場合において、ＷＷＷ情報表示のためのログイン手続き要求を受けた場合、このＩＤカードに記憶されたログイン用情報を送信する場合のフローチャートである。
【００３６】
アクセスモードでは、まずＵＲＬカードに記憶されているＵＲＬ情報、および、ＩＤカードからこのＵＲＬ情報で示されるホームページへのアクセスのためのログイン用情報の読み取りを行う（Ｓ６１）。次にＩＤカードに記憶されていたアクセスポイントの電話番号を用いてアクセスポイントに発信してダイヤルアップ接続を行う（Ｓ６２）。さらにＷＷＷサーバーと接続するため、アクセスポイントにＩＤカードから読み取ったユーザーのＩＤ情報を送信し（Ｓ６３）、さらにユーザー認証のためのパスワード情報を送信して（Ｓ６４）、ＷＷＷサーバーへの接続を完了する。そして、ＵＲＬカードより得られたＵＲＬ情報をインターネットに発信する（Ｓ６５）。
【００３７】
このＵＲＬ情報が示すホームページ情報を蓄積したインターネット上のサーバーからマルチメディア情報を表示するためのログイン手続き要求がＷＷＷサーバーを介して送られてきた場合（Ｓ６６）、ＩＤカードより得られたマルチメディア情報表示のためのログイン用情報をＷＷＷサーバーを介してインターネット上のそのサーバーに送信し（Ｓ６７）、ログイン手続きを完了する。
そして、ＷＷＷサーバーを介して受信した（Ｓ６８）マルチメディア情報を表示（Ｓ６９）し、操作モードの処理をスタート（Ｓ７０）させる。
なお、上記動作において、ステップＳ６１で、ＩＤカードからＵＲＬ情報で示されるホームページへのアクセスのためのログイン用情報の読み取りを行なっているが、ログイン手続の要求があった場合に（Ｓ６６）、ＩＤカードからＵＲＬ情報で示されるホームページへのアクセスのためのログイン用情報の読み取りを行ない、このログイン用情報をインターネットに送信して（Ｓ６７）、ログイン手続きを完了するようにしても良い。
【００３８】
このように、ＵＲＬカードに記憶されたＵＲＬ情報が示すホームページのログイン用情報をＩＤカードに記憶させてユーザーに配布し、マルチメディアアクセス装置あるいはシステムにおいて図１０で説明したアクセスモードにおける動作をすることにより、ＩＤカードに会員制のホームページを見るための鍵としての性格を与えることができる。また、ユーザーが個人情報の記憶されたＩＤカードの保管を厳重に行うことにより、会員以外の者のアクセスを十分に制限することができる。
なお、ＩＤカードには、各ＵＲＬカードに記憶されたＵＲＬ情報が示すホームページのログイン用情報をＵＲＬ情報別に複数記憶することができるものとする。
【００３９】
図１１は、図４のステップＳ８で開始されるアクセスモードの別の処理例を示すフローチャートである。図１１のアクセスモードの処理例は、ＵＲＬカードにＷＷＷ情報表示のために必要なポイント情報がさらに記憶される場合において、ＷＷＷ情報表示のためのポイントに関する要求を受けた場合、このＵＲＬカードに記憶されポイント情報の更新をする場合のフローチャートである。
アクセスモードでは、まずＵＲＬカードに記憶されているＵＲＬ情報、および、このＵＲＬ情報で示されるホームページを見るために必要なマルチメディア情報表示のためのポイント情報の読み取りを行う（Ｓ７１）。次にＩＤカードに記憶されていたアクセスポイントの電話番号を用いてアクセスポイントに発信してダイヤルアップ接続を行う（Ｓ７２）。さらにＷＷＷサーバーと接続するため、アクセスポイントにＩＤカードから読み取ったユーザーのＩＤ情報を送信し（Ｓ７３）、さらにユーザー認証のためのパスワード情報を送信して（Ｓ７４）、ＷＷＷサーバーへの接続を完了する。そして、ＵＲＬカードより得られたＵＲＬ情報をインターネットに発信する（Ｓ７５）。
【００４０】
このＵＲＬ情報が示すホームページ情報を蓄積したインターネット上のサーバーからマルチメディア情報を表示するために必要となるポイントに関する要求がＷＷＷサーバーを介して送られてきた場合（Ｓ７６）、その送られてきた要求内容に応じてポイントの処理を行い、ＵＲＬカードのポイント情報の更新処理を行う（Ｓ７７）。例えば、要求内容が要求されたポイント数を減ずるものであれば、ステップＳ７１においてＵＲＬカードより得られたポイント情報からこの要求されたポイント数分を減算し、ＵＲＬカードおいてポイント情報をこの減算結果に書き換えることで、ＵＲＬカードのポイント情報の更新を行う。なお、このステップＳ７７において、要求されたポイント数を減算した結果がマイナスとなる場合、あるいは、すでにポイントがゼロの場合には、その旨をユーザーに通知してアクセスモードを終了する。また、要求内容が要求されたポイント数を加算するものであれば、ステップＳ７１においてＵＲＬカードより得られたポイント情報にこの要求されたポイント数を加え、ＵＲＬカードおいてポイント情報をこの加算結果に書き換えることで、ＵＲＬカードのポイント情報の更新を行う。
次に、ＷＷＷサーバーを介して受信した（Ｓ７８）マルチメディア情報を表示（Ｓ７９）し、操作モードの処理をスタート（Ｓ８０）させる。
【００４１】
なお、上記動作において、ステップＳ７１で、ＵＲＬカードからポイント情報の読み取りを行なっているが、ポイント要求があった場合に（Ｓ７６）、ＵＲＬカードからポイント情報の読み取りを行ない、要求されたポイント数の処理をし、その処理結果に基づいてＵＲＬカードのポイント情報の更新を行う（Ｓ７７）ようにしてもよい。
また、ポイント要求は、ホームページにアクセス時の一回のみ行われるのではなく、操作モードで操作されて表示されたマルチメディア情報の内容、もしくは、その表示時間によって逐次要求され、インターネットアクセス装置あるいはインターネットアクセスシステムにおいて、その要求ごとにＵＲＬカードのポイント情報の更新を行うようにしてもよい。
【００４２】
このように、ＵＲＬカードにＵＲＬ情報とともにポイント情報を記憶させ、このポイント情報量に応じた料金でＵＲＬカードの販売を行ない、そして、マルチメディアアクセス装置あるいはシステムにおいて図１１で説明したアクセスモードにおける動作をすることにより、ＵＲＬカードにＵＲＬ情報で示されるホームページを見るためのプリペイドカードとしての性格を与えることができる。また、このＵＲＬカードを無料で配布した場合には、このＵＲＬカードに記憶されたＵＲＬ情報で示されるホームページを記憶されたポイント数だけ見ることのできるホームページ内容確認用のサンプルカードとしての性格を与えることができる。
なお、ＵＲＬカードに記憶されたＵＲＬ情報が示すホームページを見るために前もって会員手続きが必要で、かつ、そのホームページを見るためにポイントが必要な場合も考えらる。このような場合において、ホームページを見るためのログイン用情報がＩＤカードに記憶され、ポイント情報がＵＲＬカードに記憶されるものとすると、アクセスモードにおける動作は、図１０と図１１を組み合わせた動作となる。
【００４３】
ところで、情報記憶型カードであるＩＤカードおよびＵＲＬカードとしては、価格・可搬性・機能を考慮して接触型や非接触型のＩＣカードを利用することが好ましい。
また、ＩＤカードには、上述したように、アクセスポイントとなるＷＷＷサーバーに接続するための情報であるインターネットアクセスポイントの電話番号、カード使用者のＩＤ、およびカード使用者のパスワードといった個人情報が主に記憶される。よって、このような個人情報を守るための高いセキュリティが要求されることから、カード内で暗号処理が可能なプロセッサ内蔵型ＩＣカード、例えばＩＳＯ７８１６に準拠したＩＣカードを用いると良い。
一方、ＵＲＬカードは、ＩＤカードにてアクセスポイントとなるＷＷＷサーバーに接続後において、インターネット上でどのようなサービス／情報を利用するかに関する情報を記憶したものである。具体的には、上述のようにホームページの格納場所を指定するＵＲＬ情報が記憶されるが、この情報は高いセキュリティを必要としない。また、この情報は誰のＩＤカードと組み合わせて利用しても良い性格のものであることから、流通性を考慮して低コストのシリアルメモリカードを用いると良い。
【００４４】
このように２つのカードに分けることにより、ＩＤカードはセキュリティが確保できる流通ルートを介してユーザーに１人１枚発行し、一方のＵＲＬカードはホームページのアドレス情報を広く公表したい者等により、ダイレクトメールで、あるいは雑誌への添付等の方法でＩＤカードとは別のセキュリティをさほど必要としないルートにて配布することが容易になる。
また、ＩＤカードはアクセスポイントとなるＷＷＷサーバーへの接続用の鍵であり、ＵＲＬカードは記録されるＵＲＬ情報で示されるホームページへの接続用の鍵としての性格を備えることができる。よって、ユーザーは１枚のＩＤカードとサービス／情報を受けたいホームページのＵＲＬ情報がそれぞれ記憶された複数のＵＲＬカードを持つことにより、サービス／情報を受けたい各ホームページにＵＲＬカードを差し替えるのみで容易にアクセスできるようになる。
【００４５】
以上説明したように本発明の実施態様によれば、ＷＷＷサーバーへの接続からＷＷＷ情報へのアクセス、データの取得までを一連の操作が簡便化され、利用者にとってインターネットに対しアクセスしやすい環境が実現される。
なお、上記実施の形態において、コンピュータ通信ネットワークの代表としてインターネットを例にして説明したが、これに限定されるものではなく、他のコンピュータ通信ネットワークにおいても適応可能である。
また、上記実施の形態において、好ましい形態として、ＩＤカードやＵＲＬカードとして情報記憶型カード（ＩＣカード）を例にして説明したが、これに限定されるものではなく、他の記憶媒体においても適応可能である。
【００４６】
また、図１におけるインターネットアクセス装置や図２におけるインターネットアクセスシステムにおける各部、各装置を制御し、上記で説明の動作を実現するためのプログラムをコンピュータ読み取り可能な記録媒体に記録して、この記録媒体に記録されたプログラムをコンピュータに読み込ませ、実行することによりその動作を実現するものであってもよい。
【００４７】
【発明の効果】
以上説明したように、本発明は、ネットワークへの接続からインターネット情報（ＷＷＷ情報）の取得までの一連のプロセスを自動的に実行することができ、ユーザーが簡単にインターネットアクセスできる環境を提供することができる。
【図面の簡単な説明】
【図１】本発明に記載したインターネットアクセス装置の一実施形態を示す装置構成図である。
【図２】本発明に記載したインターネットアクセスシステムの一実施形態を示すシステム構成図である。
【図３】本発明におけるメイン処理の流れの一例を示すフローチャートである。
【図４】本発明における動作モードの処理の一例を示すフローチャートである。
【図５】本発明におけるアクセスモードの処理の一例を示すフローチャートである。
【図６】本発明における操作モードの処理の一例を示すフローチャートである。
【図７】本発明の動作モードに関する別の処理の例を示したフローチャートである。
【図８】ＵＲＬカードに接続可能な時間が記録される場合における本発明のアクセスモードに関する処理の例を示したフローチャートである。
【図９】ＵＲＬカードに接続可能な時間が記録される場合における本発明のアクセスモードに関する別の処理の例を示したフローチャートである。
【図１０】ＩＤカードにマルチメディア情報表示のためのログイン用情報が記録される場合における本発明のアクセスモードに関する処理の例を示したフローチャートである。
【図１１】ＵＲＬカードにマルチメディア情報表示のためのポイント情報が記録される場合における本発明のアクセスモードに関する別の処理の例を示したフローチャートである。
【図１２】従来のシステムの一形態を示すシステム構成図である。
【符号の説明】
１  通信回線（電話・ＩＳＤＮ回線）
２  パーソナルコンピュータ
３  通信インターフェース
４  接続用プログラム
５  ブラウザプログラム
６  アクセスポイント・ＷＷＷサーバー
７  インターネット
８  インターネットアクセス装置
９  カードインターフェース部
９ａ  情報記憶型カード（ＩＤカード；第１の情報記憶型カード）
９ｂ  情報記憶型カード（ＵＲＬカード；第２の情報記憶型カード）
１０  通信インターフェース部
１１  情報処理部
１２  メディアインターフェース部
１３  操作インターフェース部
１４  カード情報処理装置
１５  通信処理装置
１６  情報処理装置
１７  メディアインターフェース装置
１８  操作インターフェース装置
２０  インターネットアクセスシステム
【図１】
0003544292.tif 000002
【図２】
0003544292.tif 000003
【図３】
0003544292.tif 000004
【図４】
0003544292.tif 000005
【図５】
0003544292.tif 000006
【図６】
0003544292.tif 000007
【図７】
0003544292.tif 000008
【図８】
0003544292.tif 000009
【図９】
0003544292.tif 000010
【図１０】
0003544292.tif 000011
【図１１】
0003544292.tif 000012
【図１２】
0003544292.tif 000013